【事件の表示】
　特願２０１０−８６１５９号「遊技機」拒絶査定不服審判事件〔平成２２年７月８日出願公開、特開２０１０−１４８９６８号〕について、次のとおり審決する。
【結　論】
　本件審判の請求は、成り立たない。
【理　由】
１　手続の経緯
　本件に係る出願（以下「本願」という。）は、平成１６年５月２０日にした特願２００４−１５０４２０（以下「原出願」という。）の一部を平成２２年４月２日に新たな特許出願としたものであって、平成２４年２月２３日付けで拒絶査定がなされ（発送日：同年２月２８日）、これに対し、同年５月１６日に拒絶査定不服審判の請求がなされたものである。
　そして、平成２５年６月３日付けで当審にて拒絶理由通知がなされ、同年７月２２日付けで手続補正がなされたものである。
　
２　本願発明について
　本願の請求項１に係る発明（以下「本願発明」という。）は、平成２５年７月２２日の手続補正により補正された明細書及び図面の記載からみて、その特許請求の範囲の請求項１に記載された事項により特定される次のとおりのものである。
「遊技図柄を変動表示する遊技図柄表示部と、
　予め設定された第１外部操作が行われると前記遊技図柄表示部に前記遊技図柄を変動表示させ、その後に予め設定された第２外部操作が行われると前記遊技図柄表示部に前記遊技図柄を停止表示させる変動表示制御手段と、
　前記第１外部操作が行われると権利発生抽選を行い、該権利発生抽選結果に従って、遊技者にとって有利な特定遊技を行うための特定遊技権利を発生させる抽選手段と、
　前記特定遊技権利が発生した後に、前記遊技図柄表示部が前記遊技図柄を予め設定された特定遊技図柄で停止表示すると、前記特定遊技を遊技者に対して提供する特定遊技提供手段と、
　を備えた遊技機であって、
　前記特定遊技権利が発生すると前記遊技図柄表示部を、前記遊技図柄表示部の下方に予め設けられた回転軸を中心にして前記遊技図柄表示部の左右方向に揺動させ、その後に予め設定された揺動停止条件が成立すると前記遊技図柄表示部の揺動を停止させる第１揺動手段を備える、
　ことを特徴とする遊技機。」
　
３　刊行物について
　当審による拒絶の理由に引用され、原出願の出願前に頒布された刊行物である特開２００３−１１７０５１号公報（以下「刊行物」という。）には、図面と共に以下の事項が記載されている。
　ア　「【請求項１】 
 複数種類の図柄を変動表示可能な複数の変動表示部（２２ａ）〜（２２ｃ）
と
遊技者に有利な利益状態を発生させる利益状態発生手段（１０９）とを備えた遊技機
【請求項２】  前記複数の変動表示部（２２ａ）〜（２２ｃ）（６２）の少なくとも１つは演出用の変動表示部（６２）であることを特徴とする請求項１に記載の遊技機。
【請求項３】  前記移動手段（２８ａ）〜（２８ｄ）（２９ａ）〜（２９ｄ）は前記変動表示部（２２ａ）〜（２２ｃ）（６２）を所定方向に振動動作させるものであることを特徴とする請求項１又は２に記載の遊技機。
【請求項４】  前記所定の変動表示部（２２ａ）〜（２２ｃ）の変動表示を開始させる開始手段（８１）と、前記所定の変動表示部（２２ａ）〜（２２ｃ）の変動表示を停止させる停止手段（８２ａ）〜（８２ｃ）と、
前記所定の変動表示部（２２ａ）〜（２２ｃ）が予め定められた所定態様となる図柄の組み合わせで停止することを許可する停止許可手段（１０５）
該停止許可手段（１０５）を作動させるか否かを抽選する抽選手段（１０４）
停止許可手段（１０５）が作動し且つ前記停止手段（８２ａ）〜（８２ｃ）により停止した前記所定の変動表示部（２２ａ）〜（２２ｃ）の停止図柄が前記所定態様となることを条件に前記利益状態発生手段（１０９）が作動する
【請求項５】  前記移動制御手段（１１３）は、前記停止許可手段（１０５）の作動と関連して前記移動手段（２８ａ）〜（２８ｄ）（２９ａ）〜（２９ｄ）を作動させるものであることを特徴とする請求項４に記載の遊技機。
【請求項６】  前記
移動制御手段（１１３）は、前記停止許可手段（１０５）が作動した場合に前記移動手段
を作動させる
【請求項７】  前記抽選手段（１０４）を備えた主制御基板（１０１）と、前記移動制御手段（１１３）を備えた演出制御基板（１０２）とを別個に備え、前記移動制御手段（１１３）は、前記主制御基板（１０１）からの信号に基づいて前記移動手段（２８ａ）〜（２８ｄ）（２９ａ）〜（２９ｄ）を作動させるか否かを判定することを特徴とする請求項４〜６の何れかに記載の遊技機。」（【特許請求の範囲】）
　イ　「【発明の属する技術分野】本発明は、スロットマシン、パチンコ機、アレンジボール機等、図柄を変動表示する変動表示部を備えた遊技機に関するものである。
【従来の技術】例えばスロットマシンでは、複数種類の図柄を変動表示可能な複数、例えば３個の遊技図柄表示リールと、それら遊技図柄表示リールの変動表示を開始させるためのスタートレバーと、各遊技図柄表示リールの変動表示を停止させる複数、例えば３個のストップボタンと、遊技図柄表示リールが予め定められた所定態様となる図柄の組み合わせで停止することを許可する停止許可手段と、この停止許可手段を作動させるか否かを抽選する抽選手段とを備え、遊技者のスタートレバー操作に基づいて遊技図柄表示リールの回転を開始させると共に抽選手段による抽選を行い、その抽選結果に基づいて停止許可手段が作動し且つ遊技者によるストップボタン操作により停止した遊技図柄表示リールの停止図柄が所定態様となることを条件に、遊技者に有利な利益状態を発生させるようになっている。
　この種のスロットマシンの中には、演出手段として、ランプ装置、音声出力装置等の他、例えば演出図柄表示リールや液晶表示手段等の表示装置を備えたものもあり、抽選手段の抽選により停止許可手段が作動したとき、それらランプ装置の点滅、所定の音声の出力、演出図柄表示手段による所定図柄の表示等によって停止許可手段の作動を遊技者に報知する他、利益状態発生時等に種々の演出を行うようにようになっている。
【発明が解決しようとする課題】従来のスロットマシンでは、上述のようなランプ装置、音声出力装置、表示装置等の種々の演出手段を用いて演出を行うようになっているが、その演出内容は複雑であるにもかかわらず単調で意外性に乏しく、必ずしも遊技者の興味を長く維持できるものではなかった。
　本発明は、このような問題点に鑑み、
変化と意外性に富んだ演出により遊技者の興味を長く維持できる弾球遊技機を提供することを目的とする
　ウ　「
抽選手段１０４は
スタートレバー８１の操作タイミングに基づいて
抽選を行う
　上記各態様で停止許可される確率は、夫々メダルのベット枚数に応じて異なるように、また所定段階（例えば６段階）に切り換え可能な「設定」によっても異なるように予め定められている。なお、「設定」は遊技ホール側で自由に設定可能となっている。
　
停止許可手段１０５は、抽選手段１０４の抽選結果に基づいて、
各遊技図柄表示リールがそれら各態様となる遊技図柄の組み合わせで停止することを許可する
　
第１リール変動制御手段１０６は
スタートレバー８１の操作タイミングに基づく回転指令信号を
受信したときに
各遊技図柄表示リール２２ａ〜２２ｃの回転を同時に開始させる機能と
ストップボタン８２ａ〜８２ｃの操作タイミングに基づく停止指令信号を受信したときに
各ストップボタン８２ａ〜８２ｃに対応する各遊技図柄表示リール２２ａ〜２２ｃの回転を個別に所定位置で停止させる機能とを備えている
　エ　「移動制御手段１１３は、移動パターン選択手段１２４で移動パターンＡ〜Ｇのうちの何れかが選択された場合に、その移動パターンＡ〜Ｇに従って第１リール移動手段２８ａ〜２８ｄ、第２リール移動手段２９ａ〜２９ｄを駆動制御して、例えば
遊技図柄表示リール２２ａ〜２２ｃの変動開始時に所定時間（例えば１秒間）
　オ　「以上、本発明の各実施形態について詳述したが、各実施形態に限定されるものではなく、本発明の趣旨を逸脱しない範囲内で種々の変更が可能である。例えば、遊技図柄変動表示リール２２ａ〜２２ｃ、演出図柄変動表示リール６２が、夫々２以上の方向に同時に移動するようにしてもよい。各リール２２ａ〜２２ｃ，６２の移動可能方向は、夫々１つであってもよいし、３以上であってもよい。
　
各リール２２ａ〜２２ｃ，６２
所定の中心軸周りの
揺動
前後方向の軸廻りに
揺動
させ
　各リール２２ａ〜２２ｃ，６２は、それら全てが移動可能である必要はなく、それらのうちの所定のリールのみが移動可能であってもよい。例えば、演出図柄変動表示リール６２のみが移動可能であってもよいし、遊技図柄変動表示リール２２ａ〜２２ｃのみが移動可能であってもよい。
　各リール２２ａ〜２２ｃ，６２の移動は、振動動作ではなく所定方向にゆっくりと往復移動するものであってもよいし、例えば回転移動する場合であれば一方向に連続移動するものであってもよい。
　各リール２２ａ〜２２ｃ，６２の移動は、遊技図柄表示リール２２ａ〜２２ｃの変動開始と同時に行うものに限られるものではなく、遊技図柄表示リール２２ａ〜２２ｃの変動開始前、変動開始後、変動停止前、変動停止時、ＢＥＴボタン７３，７４の操作時若しくは操作後、スタートレバー８１の操作時若しくは操作後、ストップボタン８２ａ〜８２ｃの操作時若しくは操作後等でもよい。また、その移動時間も任意であり、例えば各移動パターン毎に異ならせてもよい。
　
利益状態（ビッグボーナス・レギュラーボーナス）
　
　上記ア〜オの記載事項及び図面の図示内容を総合勘案すると刊行物には、次の発明が記載されていると認められる。
　
　「変化と意外性に富んだ演出により遊技者の興味を長く維持できる弾球遊技機を提供することを目的として、
　複数種類の図柄を変動表示可能な複数の各遊技図柄表示リール22a〜22cと、
　スタートレバー81の操作タイミングに基づく回転指令信号を受信したときに、各遊技図柄表示リール22a〜22cの回転を同時に開始させる機能と、各ストップボタン82a〜82cの操作タイミングに基づく停止指令信号を受信したときに、各ストップボタン82a〜82cに対応する各遊技図柄表示リール22a〜22cの回転を個別に所定位置で停止させる機能とを有する第１リール変動制御手段106と、
　スタートレバー81の操作タイミングに基づいて、停止許可手段105を作動させるか否かの抽選を行い、抽選結果に基づいて停止許可手段105が作動された場合、利益状態発生手段109により発生される遊技者に有利な利益状態（ビッグボーナス・レギュラーボーナス）となる遊技図柄の組み合わせで各遊技図柄表示リール22a〜22cが停止することを許可することになる抽選手段104と、
　停止許可手段105が作動し且つ各ストップボタン82a〜82cにより停止した所定の各遊技図柄表示リール22a〜22cの停止図柄が所定態様となることを条件に作動する利益状態発生手段109と、
　を備えた遊技機であって、
　停止許可手段105が作動した場合に、各遊技図柄表示リール22a〜22cを所定の前後方向の軸廻りに揺動させ、当該揺動を各遊技図柄表示リール22a〜22cの変動開始時に所定時間（例えば１秒間）だけ行う移動制御手段113を備える遊技機。」
　
４　対比
　刊行物に記載された発明と本願発明とを対比する。
　刊行物に記載された発明の「複数種類の図柄を変動表示可能な複数の各遊技図柄表示リール22a〜22c」は、その構成及び機能からみて、本願発明の「遊技図柄を変動表示する遊技図柄表示部」に相当し、以下同様に、
　刊行物に記載された発明の「スタートレバー81の操作タイミングに基づく回転指令信号を受信したときに、各遊技図柄表示リール22a〜22cの回転を同時に開始させる機能と、各ストップボタン82a〜82cの操作タイミングに基づく停止指令信号を受信したときに、各ストップボタン82a〜82cに対応する各遊技図柄表示リール22a〜22cの回転を個別に所定位置で停止させる機能とを有する第１リール変動制御手段106」は、本願発明の「予め設定された第１外部操作が行われると遊技図柄表示部に遊技図柄を変動表示させ、その後に予め設定された第２外部操作が行われると遊技図柄表示部に遊技図柄を停止表示させる変動表示制御手段」に相当し、
　刊行物に記載された発明の「スタートレバー81の操作タイミングに基づいて停止許可手段105を作動させるか否かの抽選を行い、抽選結果に基づいて停止許可手段105が作動された場合、利益状態発生手段109により発生される遊技者に有利な利益状態（ビッグボーナス・レギュラーボーナス）となる遊技図柄の組み合わせで各遊技図柄表示リール22a〜22cが停止することを許可することになる抽選手段104」は、抽選手段104による抽選により、遊技者にとって有利なビッグボーナス、レギュラーボーナスといった特定遊技権利の発生を許可するか否かが決定されるといえることから、本願発明の「第１外部操作が行われると権利発生抽選を行い、該権利発生抽選結果に従って、遊技者にとって有利な特定遊技を行うための特定遊技権利を発生させる抽選手段」に相当し、
　刊行物に記載された発明の「停止許可手段105が作動し且つ各ストップボタン82a〜82cにより停止した所定の各遊技図柄表示リール22a〜22cの停止図柄が所定態様となることを条件に作動する利益状態発生手段109」は、本願発明の「特定遊技権利が発生した後に、遊技図柄表示部が遊技図柄を予め設定された特定遊技図柄で停止表示すると、特定遊技を遊技者に対して提供する特定遊技提供手段」に相当し、
　刊行物に記載された発明の「遊技機」は、本願発明の「遊技機」に相当する。
　そして、刊行物に記載された発明の「停止許可手段105が作動した場合に、各遊技図柄表示リール22a〜22cを所定の前後方向の軸廻りに揺動させ」る「移動制御手段113」と本願発明の「特定遊技権利が発生すると遊技図柄表示部を、遊技図柄表示部の下方に予め設けられた回転軸を中心にして遊技図柄表示部の左右方向に揺動させ」る「第１揺動手段」とは、前者において、各遊技図柄表示リール22a〜22cを予め設けられた所定の前後方向の軸廻りに揺動させると、結果として、各遊技図柄表示リール22a〜22cは左右方向に揺動することになるから、両者は、「特定遊技権利が発生すると遊技図柄表示部を、予め設けられた所定の回転軸を中心にして遊技図柄表示部の左右方向に揺動させる第１揺動手段」である点で共通する。
　また、刊行物に記載された発明の「当該揺動を各遊技図柄表示リール22a〜22cの変動開始時に所定時間（例えば１秒間）だけ行う（移動制御手段113）」は、各遊技図柄表示リール22a〜22cの揺動が、「変動開始から所定時間経過」するという条件が成立すると停止されることから、本願発明の「その後に予め設定された揺動停止条件が成立すると遊技図柄表示部の揺動を停止させる（第１揺動手段）」に相当する。
　
　したがって、両者の一致点および相違点は、次のとおりである。
［一致点］
「遊技図柄を変動表示する遊技図柄表示部と、
　予め設定された第１外部操作が行われると前記遊技図柄表示部に前記遊技図柄を変動表示させ、その後に予め設定された第２外部操作が行われると前記遊技図柄表示部に前記遊技図柄を停止表示させる変動表示制御手段と、
　前記第１外部操作が行われると権利発生抽選を行い、該権利発生抽選結果に従って、遊技者にとって有利な特定遊技を行うための特定遊技権利を発生させる抽選手段と、
　前記特定遊技権利が発生した後に、前記遊技図柄表示部が前記遊技図柄を予め設定された特定遊技図柄で停止表示すると、前記特定遊技を遊技者に対して提供する特定遊技提供手段と、
　を備えた遊技機であって、
　前記特定遊技権利が発生すると前記遊技図柄表示部を、予め設けられた所定の回転軸を中心にして前記遊技図柄表示部の左右方向に揺動させ、その後に予め設定された揺動停止条件が成立すると前記遊技図柄表示部の揺動を停止させる第１揺動手段を備える遊技機。」
　
［相違点］
　遊技図柄表示部を左右方向に揺動させる所定の回転軸が予め設けられる位置が、本願発明では、遊技図柄表示部の下方であるのに対して、刊行物に記載された発明では、「所定の前後方向の軸」が各遊技図柄表示リール22a〜22cに対してどの位置に設けられたものであるのか具体的に特定されていない点。
　
５　当審による判断
　上記相違点について検討する。
　刊行物に記載された発明は、「変化と意外性に富んだ演出により遊技者の興味を長く維持できる弾球遊技機を提供すること」を目的とするものである。
　そして、刊行物に記載された発明において、各遊技図柄表示リール22a〜22cをその廻りに左右方向に揺動させることになる前後方向の軸を各遊技図柄表示リール22a〜22cに対してどの位置に設けるかは、各遊技図柄表示リール22a〜22cが揺動することによって遊技者に与えられる変化や、意外性を考慮することにより当業者が適宜決定し得たものである。
　したがって、刊行物に記載された発明において、前後方向の軸を各遊技図柄表示リール22a〜22cの下方に設けることは当業者が容易になし得たものである。
　また、発願発明の効果についてみても、刊行物に記載された発明から当業者が予測できた効果の範囲内のものである。
　
６　むすび
　以上のとおりであるから、本願発明は、刊行物に記載された発明に基づいて当業者が容易に発明をすることができたものであり、特許法第２９条第２項の規定により特許を受けることができない。
　したがって、本願のその他の請求項に係る発明について検討するまでもなく、本願は拒絶すべきものである。
　
　よって、結論のとおり審決する。